(57)【特許請求の範囲】
【請求項１】
上部に開口端を有する略直方体形状の内箱と、
前記開口端の一部を被収容物の取り出し口として残しつつ残部を覆うフラップ片と、
前記内箱の幅方向における一方の側壁に沿って形成されるヒンジを介して前記内箱に回動可能に接続される外蓋であって、閉じられた際に前記内箱の前壁側から前記取り出し口を覆う上面壁部を少なくとも有する外蓋と、
を備え、
前記フラップ片は、前記内箱の幅方向における少なくとも一部の連接区間において前記内箱の前記前壁に対して連なって接続されている、
サイドオープン型パッケージ。
【請求項２】
前記フラップ片は、前記内箱におけるヒンジ側端部から該内箱の幅方向の途中位置まで連接されている、
請求項１に記載のサイドオープン型パッケージ。
【請求項３】
前記フラップ片は、前記連接区間において、前記前壁の上端縁から延びると共に、該上端縁に沿って形成される折り込み線を境に前記開放端側に折り込まれている、
請求項１又は２に記載のサイドオープン型パッケージ。
【請求項４】
前記上面壁部におけるヒンジ側端部を含む所定のヒンジ近位領域は、該ヒンジ近位領域よりも該ヒンジから遠位に位置する所定のヒンジ遠位領域に比べて、奥行寸法が小さい、
請求項１から３の何れか一項に記載のサイドオープン型パッケージ。
【請求項５】
前記上面壁部における前記ヒンジ近位領域は、前記ヒンジ側端部に近づくほど奥行寸法が小さくなるように形成されている、
請求項４に記載のサイドオープン型パッケージ。
【請求項６】
前記上面壁部の前記ヒンジ側端部における奥行寸法が実質的に零である、
請求項５に記載のサイドオープン型パッケージ。
【請求項７】
前記ヒンジは、前記内箱における前記前壁と一方の側壁との境界をなす縁部に沿って形
成されている、
請求項１から６の何れか一項に記載のサイドオープン型パッケージ。
【請求項８】
前記内箱の前壁に設けられたフィルムゲージと、前記フィルムゲージの下に重ねられると共に下絵が表示された下絵表示シートと、を含み、両者を相対的にスライドさせることで動画を生じさせるスリットアニメーション手段を、更に備え、
前記下絵表示シートの端部が、前記ヒンジを介して前記内箱と接続される前記外蓋の前面壁部に固定されており、
前記外蓋の開閉動作に連動して前記下絵表示シートと前記フィルムゲージとが相対的にスライドするように構成されている、
請求項１から７の何れか一項に記載のサイドオープン型パッケージ。
【発明の詳細な説明】
【技術分野】
【０００１】
本発明は、サイドオープン型パッケージに関する。
【背景技術】
【０００２】
従来、シガレット等の収容物を収容する包装（パッケージ）として、ソフトパッケージやハードパッケージ（ボックス型パッケージ）等が公知である。ハードパッケージの１つの形態として、サイドオープン型パッケージが知られている（例えば、特許文献１を参照）。通常、この種のサイドオープン型パッケージは、シガレット束を収容する内箱と、内箱に形成されるシガレットの取り出し口を開閉可能な外蓋が、内箱の側壁の上下方向に沿ったヒンジを介して回動自在に連結されている。また、シガレットのパッケージは、一般に、シガレットの束を内包材によって内包してなるインナパックを収容部に収容する場合が多い。【０００３】
ところで、サイドオープン型ボックスパッケージの製造時に、シガレット（巻）の保護、タバコ刻の散乱等を防ぐ目的で、内箱の上部に形成された開口端に、その一部を覆うフラップ片を設けることがある。この種のフラップ片は、内箱における開口端の前方部分をシガレットの取り出し口として残しつ後方部分を覆うように内箱の幅方向に沿って形成されることが多い。
【先行技術文献】
【特許文献】
【０００４】
【特許文献１】米国特許第４５７０７９０号明細書
【特許文献２】特開２０１０−１３１１８号公報
【発明の概要】
【発明が解決しようとする課題】
【０００５】
しかしながら、従来のサイドオープン型パッケージにおいては、外蓋を閉める際に、シガレットの束や、これを包み込むように折り込まれた内包材等といった被収容物、或いは、フラップ片自体が外蓋と干渉しやすいというのが実情である。すなわち、サイドオープン型パッケージは、外蓋が閉じられる際に、取り出し口を覆うための外蓋側の上面壁部がフラップ片上面の少なくとも一部に重なるように構成されているため、外蓋が閉じられる過程において、内箱側のフラップ片或いは内箱に収容されている被収容物に対して、外蓋側の上面壁部が衝突しやすく、これらが損傷する虞がある。特に、被収容物がシガレット及びこれを包む内包材を含む場合、上面壁部との衝突によって折り返された内包材の端部が上面壁部とフラップ片との間に挟み込まれ、外蓋の開閉が繰り返し行われると内包材が破れる要因となり、パッケージの外観（見た目）が損なわれる（悪化する）ことが懸念される。【０００６】
本発明は、このような課題に鑑みてなされてものであって、サイドオープン型パッケージにおいて、外蓋を閉じる際に、外蓋が被収容物やフラップ片等と干渉することを抑制し、以って被収容物やフラップ片の損傷を招いたり、パッケージの外観が損なわれることを抑制可能な技術を提供することを目的とする。
【課題を解決するための手段】
【０００７】
本発明は、上記課題を解決するために、サイドオープン側パッケージは、内箱におけるフラップ片を、内箱の幅方向における少なくとも一部の連接区間において前壁に連なって接続（連接）するようにした。【０００８】
詳細には、本発明に係るサイドオープン型パッケージは、上部に開口端を有する略直方体形状の内箱と、前記開口端の一部を被収容物の取り出し口として残しつつ残部を覆うフラップ部と、前記内箱の幅方向における一方の側壁に沿って形成されるヒンジを介して前記内箱に回動可能に接続される外蓋であって、閉じられた際に前記取り出し口を覆う上面壁部を少なくとも有する外蓋と、を備え、前記フラップ片は、前記内箱の幅方向における少なくとも一部の連接区間において前記内箱の前壁と連なって接続されている。【０００９】
サイドオープン型パッケージ（横開き型のパッケージ）は、内箱におけるフラップ片の平面方向に対してヒンジが直交する方向に延伸配置されることになる。一方、外蓋側には、外蓋が閉じられる際に、内箱の取り出し口を覆うための上面壁部が形成されている。この上面壁部は、内箱のフラップ片と平行に配置されており、外蓋が閉じられる際、フラップ片に対して徐々に接近する。そして、外蓋の上面壁部は、内箱のフラップ片と部分的に重なり合いながらスライドしつつ、最終的には取り出し口全体を覆うことで、外蓋の閉じ操作が完了することになる。【００１０】
これに対して、本発明に係るサイドオープン型パッケージにおいては、フラップ片を、内箱の幅方向における少なくとも一部の区間である連接区間において、内箱の前壁と連なって接続するようにしたため、外蓋が閉じられる際に、外蓋の上面壁部がフラップ片の下側（被収容物の収容空間側）に潜り込んだり、フラップ片と衝突することが起こりにくくなる。このため、フラップ片が折れ曲がったり破損することが抑制される。また、上記の連接区間においては、内箱に収容されている被収容物の上部がフラップ片によって覆われるため、外蓋側の上面壁部が被収容物と干渉（衝突、接触）することが抑制される。以上より、被対象物やフラップ片の損傷を招いたり、パッケージの外観が損なわれることを抑制することが可能なサイドオープン型パッケージが提供される。【００１１】
ここで、サイドオープン型パッケージは、パッケージの高さ（上下）方向に延伸するヒンジを中心に外蓋が開閉される。このため、外蓋を閉じる際において、ヒンジに近い領域ほど、内箱に収容された被収容物に対して外蓋の上面壁部が急な角度で接近するため、これらが干渉しやすくなる傾向がある。そこで、本発明において、前記フラップ片は、前記内箱におけるヒンジ側端部から該内箱の幅方向の途中位置まで連接されていてもよい。この場合、内箱の幅方向においてヒンジと近位の領域が、前壁とフラップ片とを連接する連接区間に設定される。これによれば、内箱におけるヒンジと近位の領域において被収容物がフラップ片によって覆われるため、上面壁部が急な角度で被収容物に対して接近しても、上面壁部が被収容物に衝突することがなく、被収容物が損傷することをより好適に抑制することができる。【００１２】
また、前記フラップ片は、前記連接区間において、前記前壁の上端縁から延びると共に、該上端縁に沿って形成される折り込み線を境に前記開放端側に折り込まれていてもよい。これによれば、内箱の連接区間に亘り、前壁側から一繋がりのフラップ片が開口端側に回り込むように配置される。これによれば、内箱の連接区間におけるフラップ片と前壁との接合箇所に、上面壁部の先端部が引っ掛かるような隙間、凹部等が形成されることがなく、外蓋の上面壁部との干渉によってフラップ片が折れ曲がったり破損することを、より確実に抑制することができる。【００１３】
また、前記上面壁部におけるヒンジ側端部を含む所定のヒンジ近位領域は、該ヒンジ近位領域よりも該ヒンジから遠位に位置する所定のヒンジ遠位領域に比べて、奥行寸法が小さく構成されていてもよい。この構成によれば、外蓋を閉じる際、内箱に収容された被収容物に対して外蓋の上面壁部が急な角度で接近することになるヒンジ近位領域の奥行寸法をヒンジ遠位領域に比べて相対的に小さくすることにより、ヒンジ近位領域の奥行寸法をヒンジ遠位領域と同等とする場合に比べて、上面壁部におけるヒンジ近位領域と内箱のフラップ片や被収容物との干渉が起こりにくくなる。従って、内箱のフラップ片や被収容物の損傷を好適に回避し、これらの外観が損なわれることを好適に防ぐことができる。また、上面壁部におけるヒンジ遠位領域については、ヒンジ近位領域に比べて、外蓋が閉じられる際に上面壁部とフラップ片や被収容物との干渉が相対的に起こりにくい。このため、上面壁部におけるヒンジ遠位領域については、ヒンジ近位領域に比べて奥行寸法を大きくしても上記干渉という不具合が顕在化しにくい。そして、上面壁部のヒンジ遠位領域においては、その奥行寸法をヒンジ近位領域よりも大きくすることで、ヒンジ遠位領域に対応する領域に形成される取り出し口の奥行開口幅を十分に確保することができるようになる。これにより、取り出し口を通じた被収容物の取り出し容易性の向上に資することが可能となる。【００１４】
また、上記のように、上面壁部のヒンジ遠位領域に比べてヒンジ近位領域の奥行寸法を小さくする場合、前記上面壁部における前記ヒンジ近位領域は、前記ヒンジ側端部に近づくほど奥行寸法が小さくなるように形成されていてもよい。これによれば、上面壁部におけるヒンジ近位領域のうち、ヒンジ側端部に近づくに従って奥行寸法を徐々に小さくすることで、上面壁部におけるヒンジ近位領域と内箱のフラップ片や被収容物との干渉を好適に回避することができる。また、この構成によれば、上面壁部のヒンジ近位領域における自由端側縁部が傾斜縁部として形成されるため、ヒンジ近位領域の途中で自由端側縁部に急な段差が形成されることがない。その結果、外蓋が閉じられる際に、上面壁部における自由端側縁部がフラップ片や被収容物等に引っ掛かりにくくなるという利点がある。一方で、ヒンジ近位領域のうち、ヒンジ側端部から離れるに従って奥行寸法を徐々に大きくすることにより、ヒンジから遠く離れた領域における取り出し口の奥行開口幅を十分に確保することができるという利点がある。このため、内箱のフラップ片や被収容物との干渉を回避できる範囲内で、取り出し口を通じた被収容物の取り出し容易性を好適に向上させることができる。【００１５】
また、前記上面壁部の前記ヒンジ側端部における奥行寸法が実質的に零であってもよい。この場合、上面壁部におけるヒンジ近位領域は、ヒンジ近位領域に近づくに従って徐々に奥行寸法が小さくなり、ヒンジ側端部において実質的に零となるように構成される。これによれば、上面壁部におけるヒンジ近位領域と内箱のフラップ片や被収容物との干渉をより一層好適に回避することができる。【００１６】
また、本発明において、前記ヒンジは、前記内箱における前記前壁と一方の側壁との境界をなす縁部に沿って形成されてもよい。このように、内箱の前壁と側壁との間の縁部に沿ってヒンジを形成することにより、外蓋が閉じられた際に内箱の前壁を覆う前面壁部の側方端を内箱に対して直接ヒンジ連結することができる。この構成によれば、内箱の後壁と側壁との間の縁部に沿ってヒンジを形成する場合に比べて、外蓋を閉じる際に、内箱のフラップ片や被収容物に対して外蓋の上面壁部を緩やかな角度で接近させることができる。従って、外蓋を閉じる際に、内箱のフラップ片や被収容物と上面壁部との干渉をより一層好適に回避することができる。更に、内箱における前壁と側壁との境界をなす縁部に沿って形成されたヒンジを介して外蓋を内箱に連結することで、上面壁部のヒンジ側端部における奥行寸法を実質的に零とした場合においても、外蓋における前面壁部の側方端を内箱に対して直接ヒンジ連結することができる。その結果、外蓋の剛性が低下することを抑制できる。【００１７】
また、本発明係るサイドオープン型パッケージは、前記内箱の前壁に設けられたフィルムゲージと、前記フィルムゲージの下に重ねられると共に下絵が表示された下絵表示シートと、を含み、両者を相対的にスライドさせることで動画を生じさせるスリットアニメーション手段を、更に備え、前記下絵表示シートの端部が、前記ヒンジを介して前記内箱と接続される前記外蓋の前面壁部に固定されており、前記外蓋の開閉動作に連動して前記下絵表示シートと前記フィルムゲージとが相対的にスライドするように構成されていてもよい。これによれば、扱い者が外蓋を開閉する度に、その開閉動作に連動して、下絵表示シートとフィルムゲージとを相対的にスライドさせることができ、スリットアニメーションを生じさせる視覚的効果が得られる。従って、パッケージに付加価値を付与することができ、消費者の購買意欲を増進することができる。【００１８】
なお、本発明に係るサイドオープン型パッケージに収容する被収容物は特に限定されるものではないが、例えば、たばこ商品を被収容物として好適に例示できる。たばこ商品とは、例えば紙巻たばこ（フィルタシガレット、両切たばこ（フィルタ無し））、シガー（葉巻）、シガリロ、スヌース、嗅ぎたばこ、チューイングたばこ、電子たばこ等が例示できる。勿論、本発明に係るサイドオープン型パッケージは、例えば菓子、ガム等といったたばこ商品以外の物品を収容してもよい。【００１９】
また、本発明における課題を解決するための手段は、可能な限り組み合わせて採用することができる。
【発明の効果】
【００２０】
本発明によれば、サイドオープン型パッケージにおいて、外蓋を閉じる際に、外蓋が被収容物やとフラップ片等と干渉することを抑制し、以って被対象物やフラップ片の損傷を招いたり、パッケージの外観が損なわれることを抑制可能な技術を提供することができる。
【図面の簡単な説明】
【００２１】
【図１】実施形態に係るパッケージの斜視図である（１）。
【図２】実施形態に係るパッケージの斜視図である（２）。
【図３】実施形態に係るパッケージの上面図である（１）。
【図４】実施形態に係るパッケージの上面図である（２）。
【図５】実施形態に係るフィルムゲージ及び下絵表示シートを説明する図である。
【図６】実施形態に係る第１ブランクを示す図である。
【図７】実施形態に係る第２ブランクを示す図である。
【図８】従来におけるサイドオープン型パッケージを説明する図である。
【発明を実施するための形態】
【００２２】
＜実施形態＞
本発明に係るサイドオープン型パッケージの実施形態について、図面に基づいて説明する。本発明が適用されるパッケージに収容する被収容物は特定のものに限定されないが、ここでは、シガレットをパッケージに収容する場合を例に説明する。
【００２３】
[パッケージの構成]
図１、２は、実施形態に係るサイドオープン型パッケージ（以下、単に「パッケージ」という）１の斜視図である。図１、２は、パッケージ１を正面側から眺めた斜視図である。パッケージ１は、全体として略直方体形状をなしており、ヒンジを介して連結された内箱２及び外蓋３を備えている。図１は、内箱２に対して外蓋３が開いた状態のパッケージ１を示している。一方、図２は外蓋３が閉じられた状態のパッケージ１を示しており、内箱２におけるシガレット（被収容物）の取り出し口２６が外部に露出（開放）されている。以下、本明細書では、特に言及する場合を除いて、パッケージ１の正面側を“前方”と定義し、背面側を“後方”と定義する。
【００２４】
内箱２は、略直方体形状を有し、シガレット６１及び内包材６２からなるインナパック６を収容可能な収容ボックスである。インナパック６の詳細については後述する。内箱２は、矩形状の後壁２１、この後壁２１と対向配置される前壁２２、後壁２１及び前壁２２の両側縁部を相互に連結する一対の側壁２３Ａ，２３Ｂ、底壁２４等を有し、その上部に形成された開口端が部分的にフラップ片２５によって塞がれている。底壁２４は、後壁２１、前壁２２、及び一対の側壁２３Ａ，２３Ｂそれぞれの下端に連結されている。ここで、前壁２２と後壁２１は内箱２における高さと幅によって規定され、一対の側壁２３Ａ，２３Ｂは内箱２における高さと奥行によって規定され、底壁２４は内箱２における幅と奥行によって規定される。本明細書において定義される内箱２の上下（高さ）方向、左右（幅）方向、前後（奥行）方向を図２に図示する。図示のように、内箱２における上下（高さ）方向、左右（幅）方向、前後（奥行）方向はそれぞれが互いに直交している。
【００２５】
ここで、符号４は、内箱２における側壁２３Ａと前壁２２との境界をなす縁部に形成されたヒンジである。ヒンジ４は、内箱２における一方の側壁２３Ａに沿って形成されており、このヒンジ４を介して内箱２と外蓋３とが互いに回動自在にヒンジ接続されている。つまり、ヒンジ４は、内箱２の高さ方向（上下方向）に沿って延伸配置されている。内箱２の幅方向（左右方向）において、ヒンジ４が形成されていない方の側壁２３Ｂと前壁２２との境界をなす縁部５はラウンド形状（丸形状）を有するラウンドエッジ（ラウンドコーナー）として形成されている。また、内箱２における他の縁部、すなわち、側壁２３Ａと前壁２２との境界をなす縁部、側壁２３Ａと後壁２１との境界をなす縁部、及び、側壁２３Ｂと後壁２１との境界をなす縁部は、スクエア形状を有するスクエアエッジ（スクエアコーナー）として形成されている。なお、上記構成例では、内箱２における縁部５をラウンドエッジとし、内箱２における他の縁部をスクエアエッジとしているが、これには限定されない。例えば、内箱２の縁部を面取りエッジとしてもよい。例えば、内箱２における側壁２３Ｂと前壁２２との境界をなす縁部５をラウンドエッジもしくは面取りエッジで形成することで、外蓋３の側壁３２と縁部５との干渉を抑制することができ、スムーズに外蓋３を閉めることができる。
【００２６】
また、内箱２には、シガレット６１の束を内包材６２によって包み込むことで形成されたインナパック６の形態で、シガレット６１が収容（収納）されている。内包材６２は、例えば矩形状を有するシート状のアルミニウム蒸着紙であり、紙基材と、その表面に蒸着されたアルミニウムの膜とを含む。アルミニウムの膜は、シガレット６１を湿気から保護する他、各シガレット６１からの芳香の放出、散逸を防止し、また、シガレット６１の束の形状保持にも有効である。
【００２７】
次に、内箱２におけるフラップ片２５及びシガレット６１の取り出し口２６について説明する。フラップ片２５は、内箱２の開口端の一部を被収容物であるシガレット６１の取り出し口２６として残しつつ、開口端の残部を覆う部材である。すなわち、フラップ片２５は、シガレット６１を取り出すための取り出し口２６が開口された、内箱２の底壁２４と対向して配設された天壁（天板）として捉えることもできる。フラップ片２５は、内箱２の上方から開口端を眺めた場合に、開口端における後方側（後壁２１寄りの部分）を覆っている。また、フラップ片２５は、開口端における前方側（前壁２２寄りの部分）の一部、具体的にはヒンジ４が位置する方の端部に対して近位の領域の前方部も覆っている。
【００２８】
更に、内箱２における前壁２２及び側壁２３Ｂの上部には、双方に跨るようにして切り欠き凹所２７が形成されている。図１に示すように、切り欠き凹所２７は、内箱２を正面側から眺めて前壁２２の右上角部に形成されている。また、切り欠き凹所２７は、フラップ片２５の縁部と共に取り出し口２６の輪郭（外形）を画定している。つまり、内箱２の取り出し口２６は、フラップ片２５及び切り欠き凹所２７によって囲まれた開口領域として画定されている。なお、切り欠き凹所２７は、内箱２における前壁２２の上部と側壁２３Ｂの上部を跨がるように設けず、前壁２２の上部のみ又は側壁２３Ｂの上部のみの領域内に形成されていてもよい。但し、本実施形態のように、内箱２における切り欠き凹所２７を、前壁２２の上部と側壁２３Ｂの上部とを跨ぐように形成することで、内箱２に収容されている被収容物の露出度合いが高まる。その結果、扱い者が被収容物をより一層容易に取り出すことが可能となる。
【００２９】
また、図１に示すように、フラップ片２５は、内箱２の前壁２２に対して、内箱２におけるヒンジ４側の端部（以下、「ヒンジ側端部」という）から内箱２における幅方向の途中位置まで連なって接続（連接）されている。以下、内箱２におけるフラップ片２５と前壁２２とが連接されている区間を「連接区間」と呼び、図中に符号Ｚｃにて示す。前壁２２の上端とフラップ片２５の前端とが連接区間Ｚｃに亘って連なり、互いに接続（接合）されることで、フラップ片２５と前壁２２とにおいて共通する縁部である連接縁部７が形成されている。
【００３０】
フラップ片２５は、第１フラップ片２５ａと、第２フラップ片２５ｂとを有する。第２フラップ片２５ｂは、第１フラップ片２５ａの上面（外面）に重ね合されて（積層されて）、接着されている。図１には、第１フラップ片２５ａのうち、第２フラップ片２５ｂによって覆われている部分を破線によって示している。図示のように、第１フラップ片２５ａの水平投影面積は第２フラップ片２５ｂよりも大きく、フラップ片２５の外形は実質的に第１フラップ片２５ａによって画定されている。第２フラップ片２５ｂは、内箱２のヒンジ側端部において、前壁２２の上端縁から延びると共に該上端縁に沿って形成される折り込み線２８を境に内箱２の開放端側に折り込まれている。言い換えると、第２フラップ片２５ｂは、前壁２２における連接縁部７を基端として延出するフラップ片であり、連接縁部７から第１フラップ片２５ａ側に折り込まれ（折り返され）、第１フラップ片２５ａの外面（上面）に重ね合されている。そして、第２フラップ片２５ｂが接着材によって第１フラップ片２５ａに貼り合されることで、第１フラップ片２５ａと一体に固定されている。
【００３１】
次に、外蓋３の詳細構成について説明する。ヒンジ４を介して内箱２に連結されている前面壁部３１と、この前面壁部３１におけるヒンジ４とは反対側の端部より前面壁部３１と直交して立設した側面壁部３２と、前面壁部３１及び側面壁部３２それぞれの上端に直交して連結された上面壁部３３と、前面壁部３１及び側面壁部３２それぞれの下端に直交して連結された下面壁部３４と、を有する。
【００３２】
上記のように構成される外蓋３は、内箱２の取り出し口２６を自在に開閉することができる。図３は、外蓋３が開いた状態におけるパッケージ１の上面図である。また、図４は、外蓋３が閉じた状態におけるパッケージ１の上面図である。図３は、図１に示す状態に対応しており、図４は、図２に示す状態に対応している。図２及び図４に示すように、外蓋３が閉じられると、外蓋３の上面壁部３３及び前面壁部３１によって内箱２の取り出し口２６が塞がれる。また、外蓋３が閉じられた際には、外蓋３の前面壁部３１、側面壁部３２、上面壁部３３及び下面壁部３４が、それぞれ内箱２側の対応する前壁２２、側壁２３Ｂ、フラップ片２５、及び底壁２４に対向する位置に配置されるようになっている。
【００３３】
図１及び図３に示すように、外蓋３の上面壁部３３は、概ね台形形状を有している。上面壁部３３のうち、ヒンジ４側の端部（以下、「ヒンジ側端部」という）３３ａを含み、ヒンジ側端部３３ａから上面壁部３３の幅方向において所定の所定区間までの領域を「ヒンジ近位領域３３ｂ」と呼ぶ。ヒンジ近位領域３３ｂは、ヒンジ側端部３３ａから比較的近位に位置する領域ということができる。また、上面壁部３３のうち、ヒンジ近位領域３３ｂよりもヒンジ４（ヒンジ側端部３３ａ）から遠位に位置する領域を「ヒンジ遠位領域３３ｃ」と呼ぶ。
【００３４】
図３に示すように、上面壁部３３におけるヒンジ遠位領域３３ｃは、概ね矩形状を有し、ヒンジ近位領域３３ｂは三角形状を有している。そして、上面壁部３３は、ヒンジ遠位領域３３ｃに比べてヒンジ近位領域３３ｂの方が、奥行寸法が小さく形成されている。より詳しくは、上面壁部３３のヒンジ近位領域３３ｂは、ヒンジ側端部３３ａに近い部分（近づく）ほど奥行寸法が小さくなるように形成されている。また、上面壁部３３のうち、ヒンジ側端部３３ａにおける奥行寸法が実質的に零となっている。その結果、ヒンジ近位領域３３ｂにおける自由端側の縁部（前面壁部３１とは反対側の縁部であり、以下では「自由端側縁部」という）は、ヒンジ側端部３３ａにおいて前面壁部３１と実質的に接している。そして、上面壁部３３におけるヒンジ近位領域３３ｂの自由端側縁部は、ヒンジ側端部３３ａから幅方向に離れるに従って、前面壁部３１から突出寸法（奥行方向）が大きくなっている。
【００３５】
また、図３に示すように、第１フラップ片２５ａは、内箱２の幅方向に沿って、その奥行寸法が３段階に変化している。第１フラップ片２５ａを、ヒンジ４側から第１領域２５１、第２領域２５２、第３領域２５３に分けると、第１領域２５１は連接区間Ｚｃに対応した領域であり、その奥行寸法は内箱２の奥行寸法に一致している。つまり、第１フラップ片２５ａにおける第１領域２５１は、内箱２の開口端を、前壁２２から後壁２１に至るまで覆っている。これにより、フラップ片２５の動きを抑制することができ、フラップ片２５が外蓋３や被収容物と干渉することをより確実に抑制することができる。第１フラップ片２５ａにおける第２領域２５２は、第１領域２５１と第３領域２５３と挟まれた領域で、ヒンジ４から離れるに従って奥行寸法が徐々に小さくなっている。第２領域２５２は、第３領域２５３との境界部において奥行寸法が最小となっている。そして、第３領域２５３は、内箱２におけるヒンジ４と反対側の端部側に配置されており、ヒンジ４との離間寸法に関わらず一定の奥行寸法を有している。
【００３６】
更に、外蓋３における側面壁部３２には、略半円形の凹部としての手掛かり部３５が形成されている。この手掛かり部３５は、消費者（パッケージ１の扱い者）が外蓋３を開く際に指を掛けることで、その開蓋操作を補助するために設けられている。なお、側面壁部３２に手掛かり部３５を配置する位置としては、側面壁部３２の高さ方向中央付近を避け、上部又は下部の何れかに寄った位置に設けるのが好ましい。本実施形態におけるパッケージ１では、側面壁部３２における中央よりも若干低い高さに手掛かり部３５を配置している。これはパッケージ１を密封する密封フィルムの開封テープ（図示せず）をパッケージ１の高さ中央付近に設ける際に、開封テープと手掛かり部３５とが互いに干渉することを避けるためである。また、外蓋３における前面壁部３１と側面壁部３２との境界をなす縁部３６は、ラウンド形状（丸形状）を有するラウンドエッジ（ラウンドコーナー）として形成されている。
【００３７】
更に、パッケージ１は、内箱２の前壁２２に設けられたフィルムゲージ７１と、フィルムゲージ７１の下に重ねられると共に下絵が表示された下絵表示シート７２と、を含むスリットアニメーション部７（スリットアニメーション手段）を備えている。スリットアニメーション部７は、下絵表示シート７２に表示された下絵と、フィルムゲージ７１とを利用して、パラパラ漫画（flip-book）に類似する原理で、あたかも絵が動いているような（動画が生じているような）視覚的効果を付与する機能を有している。
【００３８】
図５は、フィルムゲージ７１及び下絵表示シート７２を説明する図である。フィルムゲージ７１は、例えばＰＥＴ（ポリエチレンテレフタレート）フィルム等の透明基材上に「黒塗りの細長い帯状領域」を所定の間隔、この例では等間隔“Ｘ”で印刷したものである。図示のフィルムゲージ７１は、「帯状領域の幅」と「各帯状領域間の間隔」とが共に“Ｘ”で等しくなっている。また、図１に示すように、内箱２の前壁２２には、フィルムゲージ７１を配置するためのゲージ用窓孔２２ａが形成されており、前壁２２のゲージ用窓孔２２ａを塞ぐようにしてフィルムゲージ７１が前壁２２（ゲージ用窓孔２２ａの縁部）に貼り付けられている。本実施形態では、ゲージ用窓孔２２ａを矩形状として形成しているが、他の形状を有していてもよい。また、図１に示すように、フィルムゲージ７１における帯状領域（格子）の延伸方向は、内箱２における前壁２２の上下方向（高さ方向）と平行となるように、フィルムゲージ７１が設置されている。
【００３９】
下絵表示シート７２は、略矩形状を有しており、複合画像で構成される下絵７２ａが印刷等によって表示されている。下絵表示シート７２は、下絵７２ａの表示エリアがフィルムゲージ７１の下に重なるように、内箱２におけるインナパック６（シガレット６１）の収容空間側に配置されている。具体的には、下絵表示シート７２の下絵７２ａがフィルムゲージ７１側に面するように、下絵表示シート７２がインナパック６の外面とフィルムゲージ７１との間に挟まれるようにして配置されている。
【００４０】
下絵表示シート７２に表示された下絵７２ａは、上記のように複合画像で構成されている。この複合画像は、例えば、ある形態をモチーフにした画像を所定の間隔で間引いて、「残像」と「欠け」が繰り返されてなる中間画像を複数組み合わせた画像である。図５には、星形をモチーフとした第１の中間画像と、円形をモチーフとした第２の中間画像とを、組み合わせて複合画像を作成する例が示されている。また、ここでは、第１の中間画像及び第２の中間画像の夫々を等間隔“Ｘ”で間引いている。そして、第１の中間画像と第２の中間画像とを複合させる際に、第１の中間画像の「欠け」の部分に、第２の中間画像の「残像」部分が一致するようにして、複合画像が形成されている。
【００４１】
フィルムゲージ７１を下絵７２ａの複合画像上に重ね合わせて、下絵表示シート７２及びフィルムゲージ７１を相対的にスライドさせると、図５に示すように、第１の中間画像の「残像」がフィルムゲージ７１の各帯状領域間に設けられる透明領域に位置するときには、第１の中間画像が表す模様、すなわち星形模様が視認される（図５中、Ａ）。一方、第２の中間画像の「残像」がフィルムゲージ７１の各帯状領域間に設けられる透明領域に位置するときには、第２の中間画像が表す模様、すなわち円形模様が視認される（図５中、Ｂ）。
【００４２】
そして、下絵表示シート７２とフィルムゲージ７１との相対的なスライド動作を適度な速度で行うと、人間の目には、あたかも星形模様と円形模様が動的に変化しているかのように視認されるため、動画を生じさせる視覚的効果が得られる。なお、スリットアニメーションに関する技術自体は公知のものであり、ここでの詳しい説明は省略するが、複合画像に組み込まれる中間画像の数を３以上にすることも可能である。
【００４３】
図１に示すように、内箱２の前壁２２のうち、ゲージ用窓孔２２ａとヒンジ４との間には、前壁２２の上下方向（つまり、ヒンジ４の延伸方向）に沿って細長い矩形状のスリット開孔２２ｂが形成されている。このスリット開孔２２ｂの長手方向の開口寸法は、前壁２２の高さ方向におけるゲージ用窓孔２２ａの開口寸法よりも若干狭くなっている。より詳しくは、スリット開孔２２ｂの下端位置は、ゲージ用窓孔２２ａの下端位置と略等しくなっている。また、スリット開孔２２ｂの上端位置は、ゲージ用窓孔２２ａの上端位置よりも若干低い位置に配置されている。本実施形態においては、前壁２２のヒンジ側端部にスリット開孔２２ｂが配置されている。
【００４４】
また、下絵表示シート７２の一方の端部における高さ寸法は、スリット開孔２２ｂの長手方向における開口寸法よりも狭くなっており、下絵表示シート７２の上記端部がスリット開孔２２ｂに差し込まれている。これにより、下絵表示シート７２は、下絵７２ａが表示された領域を含む大部分を内箱２の内部に残しつつ、スリット開孔２２ｂを通じて外部に露出した端部領域が、外蓋３における前面壁部３１の内面に接着固定されている。
【００４５】
ここで、下絵表示シート７２のうち、前面壁部３１の内面に接着固定される端部領域を「固定端部領域７２ｂ」と呼ぶ。図１に示す例では、下絵表示シート７２における固定端部領域７２ｂは、前面壁部３１のうちヒンジ４と近接する位置に固定されている。このように、下絵表示シート７２の一端を、外蓋３における前面壁部３１に固定することで、外蓋３が閉じた状態から開かれる際に、外蓋３の開蓋動作に連動して、下絵表示シート７２がスリット開孔２２ｂから所定量だけ引き出される。逆に、開かれた状態から外蓋３が閉じられる際には、外蓋３の閉蓋動作に連動して、下絵表示シート７２がスリット開孔２２ｂ内に所定量だけ引き込まれる。つまり、本実施形態におけるパッケージ１は、外蓋３の開閉動作に連動して、下絵表示シート７２とフィルムゲージ７１とが相対的にスライドするように構成されている。このようにして、扱い者が外蓋３を開閉する度に、その開閉動作に連動して、下絵表示シート７２とフィルムゲージ７１とを相対的にスライドさせることができ、図５を用いて説明したスリットアニメーションを生じさせる視覚的効果が得られる。従って、パッケージ１に付加価値を付与することができ、消費者の購買意欲を増進することができる。
【００４６】
[ブランク]
次に、パッケージ１を構成するパッケージ用ブランクについて説明する。図６は、第１ブランクＢ１を示す図であり、図７は、第２ブランクＢ２を示す図である。第１ブランクＢ１は、折り込まれる（組み立てられる）ことで内箱２を成形するシート材料である。また、第２ブランクＢ２は、折り込まれる（組み立てられる）ことで外蓋３を成形するシート材料である。つまり、第１ブランクＢ１及び第２ブランクＢ２はそれぞれ、内箱２及び外蓋３を展開したシート材料と言える。そして、第１ブランクＢ１及び第２ブランクＢ２を折り込み、適所を接着することで、図１に示すパッケージ１が成形される。なお、第１ブランクＢ１、第２ブランクＢ２にはカード紙、マニラボール紙等の紙材、又はプラスチックシートなどの樹脂を用いることができるが、これらに限定されるものではない。なお、図６及び図７におけるブランクの説明では、図面の上下左右方向を基準に説明する。
【００４７】
図６に示すように、第１ブランクＢ１は、内箱２の後壁２１となる後壁パネルＰ１を有しており、後壁パネルＰ１の両側縁には、内箱２の側壁２３Ａ，２３ＢとなるインナサイドパネルＰ２Ａ,Ｐ２Ｂが折り込み線を介して連なっている。また、後壁パネルＰ１の下端縁には、フラップ片２５の第１フラップ片２５ａとなる第１トップパネルＰ３が折り込み線を介して連なっている。また、後壁パネルＰ１の上端縁には、内箱２の底壁２４となる底壁パネルＰ４が折り込み線を介して連なっている。また、インナサイドパネルＰ２Ａ，Ｐ２Ｂそれぞれの下端縁には、第１トップパネルＰ３に貼り合されて補強をなす補強パネルＰ５Ａ，Ｐ５Ｂが折り込み線を介して連なっている。更に、インナサイドパネルＰ２Ａ，Ｐ２Ｂそれぞれの上端縁には、底壁パネルＰ４に貼り合されて補強をなす補強パネルＰ６Ａ，Ｐ６Ｂが折り込み線を介して連なっている。
【００４８】
また、底壁パネルＰ４の上端縁には、内箱２の前壁２２となる前壁パネルＰ７が折り込み線を介して連なっている。前壁パネルＰ７には、ゲージ用窓孔２２ａ及びスリット開孔２２ｂとなる開口部が形成されている。また、前壁パネルＰ７の両側縁には、内箱２の側壁２３Ａ，２３Ｂとなる側壁パネルＰ８Ａ,Ｐ８Ｂが折り込み線を介して連なっている。なお、前壁パネルＰ７と側壁パネルＰ８Ｂとの間には、複数の折り込み線が短いピッチで配置されており、これらによってラウンド形状を有する縁部５が形成されるようになっている。また、前壁パネルＰ７の上端縁には、フラップ片２５の第２フラップ片２５ｂとなる第２トップパネルＰ９が折り込み線を介して連なっている。なお、縁部５が呈するラウンド形状は、複数の折り込み線の代わりに、複数の圧線によって形成されていてもよい。
【００４９】
次に、図７に示す第２ブランクＢ２は、外蓋３の前面壁部３１となる前面蓋パネルＰ１０を有している。そして、前面蓋パネルＰ１０における一方の側縁には、側面壁部３２となる側面蓋パネルＰ１１が折り込み線を介して連なっている。前面蓋パネルＰ１０と側面蓋パネルＰ１１との間には、複数の折り込み線が短いピッチで配置されており、これらによってラウンド形状を有する縁部３６が形成されるようになっている。また、側面蓋パネルＰ１１のうち、前面蓋パネルＰ１０とは反対側の側縁には、外蓋３の側面壁部３２となるインナサイドパネルＰ１２が折り込み線を介して連なっている。インナサイドパネルＰ１２は、側面蓋パネルＰ１１に対して折り返され、双方は互いに重ね合わせられる。インナサイドパネルＰ１２は、側面蓋パネルＰ１１を補強すると共に、側面壁部３２の内壁となる。そして、インナサイドパネルＰ１２は、側面蓋パネルＰ１１と共に外蓋３の側面壁部３２を形成する。側面蓋パネルＰ１１に対して折り返されたインナサイドパネルＰ１２は、側面蓋パネルＰ１１と接着されてもよいし、接着されなくてもよい。インナサイドパネルＰ１２が側面蓋パネルＰ１１と接着されず、単に折り返されて重ね合わせられている場合、インナサイドパネルＰ１２は折り返しによる反発力によって外蓋３の内側方向（インナサイドパネルＰ１２が側面蓋パネルＰ１１から離れる方向）へ広がろうとする。これによれば、パッケージ１の組み立て後において、外蓋３を閉じた際にインナサイドパネルＰ１２が内箱２に押し付けられることで、インナサイドパネルＰ１２と内箱２の間に高い摩擦力を生じさせることができる。その結果、扱い者の意図しない外蓋３の開放を抑制することができる。なお、側面蓋パネルＰ１１及びインナサイドパネルＰ１２には、手掛かり部３５が開口形成されている。また、側面蓋パネルＰ１１の上端縁及び下端縁には、それぞれ補強パネルＰ１３，Ｐ１４が折り込み線を介して連なっているが、これらについては後述する。
【００５０】
前面蓋パネルＰ１０の上端縁には、上面壁部３３となる上面蓋パネルＰ１５と、インナトップパネルＰ１６が折り込み線を介して順次連なっている。また、前面蓋パネルＰ１０の下端縁には、下面壁部３４となる下面蓋パネルＰ１７とインナボトムパネルＰ１８とが折り込み線を介して順次連なっている。また、前面蓋パネルＰ１０のうち、側面蓋パネルＰ１１とは反対側の縁部には、側壁パネルＰ１９と、後壁パネルＰ２０とが折り込み線を介して順次連なっている。
【００５１】
インナトップパネルＰ１６は上面蓋パネルＰ１５に対して折り返され、双方は互いに重ね合わせられる。インナトップパネルＰ１６は、上面蓋パネルＰ１５を補強すると共に、上面壁部３３の内壁となる。ここで、補強パネルＰ１３は、上面蓋パネルＰ１５とインナトップパネルＰ１６との間に挟まれた状態で双方のパネルに接着される。また、補強パネルＰ１４は、下面蓋パネルＰ１７とインナボトムパネルＰ１８との間には挟まれた状態で双方のパネルに接着される。側壁パネルＰ１９は、第１ブランクＢ１の側壁パネルＰ８Ａにおける外面に貼り合されることで、内箱２の側壁２３Ａの外壁面を形成する。また、後壁パネルＰ２０は、第１ブランクＢ１の後壁パネルＰ１における外面に貼り合されることで、内箱２の後壁２１の外壁面を形成する。
【００５２】
以上のように構成される第１ブランクＢ１及び第２ブランクＢ２は、図６及び図７中破線で示される折り込み線でそれぞれ折り込まれる。そして、第１ブランクＢ１においては、底壁パネルＰ４に補強パネルＰ６Ａ，Ｐ６Ｂが重ね合わせられる。また、側壁パネルＰ８Ａ,Ｐ８Ｂの内面側に、それぞれインナサイドパネルＰ２Ａ,Ｐ２Ｂが接着される。また、第１トップパネルＰ３の内面側に補強パネルＰ５Ａ，Ｐ５Ｂが接着され、第１トップパネルＰ３の外面側に第２トップパネルＰ９が重ね合され、双方が接着される。なお、第１ブランクＢ１の折り込みは、別途用意したインナパック６を、例えば後壁パネルＰ１上に載置した状態で行われる。その際、インナパック６上に下絵表示シート７２を載置しておいてもよい。そして、第１ブランクＢ１を折り込む際には、別途用意したフィルムゲージ７１が、前壁パネルＰ７に開口されたゲージ用窓孔２２ａの縁部に接着される。
【００５３】
また、第２ブランクＢ２の折り込みに際しては、上記のように、補強パネルＰ１３が上面蓋パネルＰ１５とインナトップパネルＰ１６との間に挟まれた状態で双方のパネルに接着され、補強パネルＰ１４が、下面蓋パネルＰ１７とインナボトムパネルＰ１８との間には挟まれた状態で双方のパネルに接着されることで、外蓋３が成形される。更に、側壁パネルＰ１９及び後壁パネルＰ２０を、上記の如く第１ブランクＢ１の側壁パネルＰ８Ａの外面及び後壁パネルＰ１の外面に接着することで、外蓋３と内箱２とが一体となる。そして、第１ブランクＢ１の前壁パネルＰ７におけるスリット開孔２２ｂを挿通させた下絵表示シート７２の端部を、第２ブランクＢ２の前面蓋パネルＰ１０における内面に接着する。これにより、スリットアニメーション部７が形成されると共に、パッケージ１の組み立てが完了する。
【００５４】
[作用効果]
次に、パッケージ１を開閉時における動作内容及び作用効果について説明する。本実施形態に係るパッケージ１においては、上記の通り、第１フラップ片２５ａ及び第２フラップ片２５ｂからなるフラップ片２５は、内箱２の開口端の一部を取り出し口２６として残しつつ残部を塞いでいる。内箱２にフラップ片２５を設置することにより、シガレット（巻）６１の保護やタバコ刻の散乱等を防ぐことができる。
【００５５】
パッケージ１は、サイドオープン型（横開き型）のパッケージであるため、内箱２におけるフラップ片２５の平面方向に対してヒンジ４が直交する方向に延伸配置されている。一方、外蓋３の上面壁部３３は、内箱２のフラップ片２５と平行に配置されており、外蓋３が閉じられる際、フラップ片２５に対して徐々に接近する。そして、外蓋３の上面壁部３３は、内箱２のフラップ片２５と部分的に重なり合いながらスライドしつつ、最終的には取り出し口２６全体を覆うことで、外蓋３の閉じ操作が完了する。
【００５６】
図８は、従来におけるサイドオープン型パッケージ１Ａを説明する図である。従来のパッケージ１Ａにおいては、内箱２Ａにおける開口端の前方側を取り出し口２６Ａとして残し、残りの後方側をフラップ片２５Ａによって覆っている。そして、内箱２Ａの後壁及び側壁の境界をなす縁部に沿って形成されたヒンジ４Ａを介して、外蓋３Ａが内箱２Ａに対して回動自在に接続されている。このような従来のパッケージ１Ａにおいては、外蓋３Ａを閉じる際に、その上面壁部３３Ａにおける自由端側の縁部が、フラップ片２５Ａやシガレットを包む内包材６２Ａと干渉しやすい。その結果、従来のパッケージ１Ａにおいては、外蓋２Ａの上面壁部３３Ａとの干渉によって、フラップ片２５Ａや内包材６２Ａが折れ曲がったり破損したりして、見た目が悪くなりやすい。また、上面壁部３３Ａとの衝突によって折り返された内包材６２Ａの端部が上面壁部３３Ａとフラップ片２５Ａとの間に挟み込まれる場合があり、外蓋２Ａの開閉が繰り返し行われることで、内包材６２Ａが破れる要因にもなる。
【００５７】
これに対して、本実施形態に係るパッケージ１では、内箱２におけるヒンジ４側の端部から内箱２における幅方向の途中位置までの区間を連接区間Ｚｃとして、フラップ片２５を前壁２２の上端と連接するようにした。これによれば、内箱２の幅方向のうち連接区間Ｚｃにおいて、内箱２に収容されているインナパック６（シガレット６１及び内包材６２）の上部がフラップ片２５によって覆われる。このため、外蓋３側の上面壁部３３とインナパック６との干渉（衝突、接触）が抑止される。つまり、インナパック６における内包材６２が折れ曲がったり、上面壁部３３及びフラップ片２５の間に内包材６２が挟まれることで破れたりすることを抑制することができる。
【００５８】
また、連接区間Ｚｃにおいては、外蓋３の上面壁部３３がフラップ片２５の下側に潜り込むことがないため、フラップ片２５が折れ曲がることも回避できる。以上より、本実施形態に係るパッケージ１によれば、インナパック６やフラップ片２５の損傷を招いたり、パッケージの外観が損なわれることを抑制することが可能となる。
【００５９】
特に、サイドオープン型のパッケージ１においては、パッケージの高さ（上下）方向に延伸するヒンジ４を中心に外蓋３が開閉されるため、外蓋３を閉じる際に、ヒンジ４に近い領域ほど、内箱２に収容されたインナパック６（シガレット６１及び内包材６２）に対して外蓋３の上面壁部３３が急な角度で接近することになる。
【００６０】
これに対して、本実施形態に係るパッケージ１によれば、内箱２のうちヒンジ４と近位の領域においては、前壁２２とフラップ片２５とが連接されることにより、インナパック６がフラップ片２５によって覆われる。これにより、外蓋３が閉じられる際に、上面壁部３３が急な角度でインナパック６に対して接近しても、上面壁部３３がインナパック６に衝突することがなく、インナパック６の損傷を好適に抑制することができる。
【００６１】
更に、パッケージ１においては、内箱２における開口端の一部を覆うフラップ片２５を、第１フラップ片２５ａと第２フラップ片２５ｂとの積層構造として構成した。そして、内箱２の連接区間Ｚｃにおいて、第２フラップ片２５ｂを、前壁２２の上端縁から延伸させると共に該上端縁に沿って形成される折り込み線２８を境に開放端側に折り込み、折り込んだ第２フラップ片２５ｂを第１フラップ片２５ａの上面に接着、固定するようにした。
【００６２】
これによれば、内箱２の連接区間Ｚｃにおいて、内箱２の前壁２２側から開口端側に一繋がりの第２フラップ片２５ｂが回り込むように配置される。その結果、フラップ片２５と前壁２２との接合箇所に、外蓋３が閉じられる際に上面壁部３３の先端部が引っ掛かるような隙間、凹部等が生じず、外蓋３の上面壁部３３との干渉によってフラップ片２５が折れ曲がったり破損することを、より確実に抑制することができる。
【００６３】
更に、本実施形態に係るパッケージ１では、外蓋３における上面壁部３３のうち、ヒンジ４の近傍部位の奥行寸法を小さくするようにした。すなわち、上面壁部３３におけるヒンジ近位領域３３ｂの奥行寸法（前面壁部３１からの突出寸法）を、ヒンジ遠位領域３３ｃに比べて小さくするようにした。これによれば、上面壁部３３におけるヒンジ近位領域３３ｂと、内箱２におけるフラップ片２５やインナパック６との干渉を起こりにくくすることができる。従って、内箱２のフラップ片２５やインナパック６の損傷を好適に抑制し、パッケージ１の外観が損なわれることを回避できる。
【００６４】
一方、上面壁部３３におけるヒンジ遠位領域３３ｃについては、ヒンジ近位領域３３ｂに比べて、外蓋３が閉じられる際に上面壁部３３とフラップ片２５やインナパック６との干渉が相対的に起こりにくいといえる。このため、上面壁部３３におけるヒンジ遠位領域３３ｃについては、ヒンジ近位領域３３ｂに比べて奥行寸法を大きくしても、上面壁部３３とフラップ片２５等との干渉が顕在化しにくい。そして、上面壁部３３のヒンジ遠位領域３３ｃにおいては、その奥行寸法をヒンジ近位領域３３ｂよりも大きくすることで、ヒンジ遠位領域３３ｃに対応する領域に形成される取り出し口２６の奥行開口幅を十分に確保することができるようになる。これにより、取り出し口２６を通じたシガレット６１の取り出し容易性の向上に資することが可能となる。
【００６５】
また、本実施形態のパッケージ１では、上面壁部３３のヒンジ近位領域３３ｂにおける奥行寸法を、ヒンジ側端部３３ａに近づくほど小さくするようにした。つまり、上面壁部３３のヒンジ近位領域３３ｂを斜めにカットし、上面壁部３３における自由端側の縁部を傾斜縁部として形成するようにした。このように、上面壁部３３におけるヒンジ近位領域３３ｂのうち、ヒンジ側端部３３ａに近づくに従って奥行寸法を徐々に小さくすることで、上面壁部３３におけるヒンジ近位領域３３ｂと内箱２のフラップ片２５やインナパック６との干渉を好適に回避することができる。
【００６６】
更に、上記構成によれば、上面壁部３３のヒンジ近位領域３３ｂにおける自由端側縁部が傾斜縁部として形成されるため、ヒンジ近位領域３３ｂの途中で自由端側縁部に急激な段差が形成されることがない。これにより、外蓋３が閉じられる際に、上面壁部３３における自由端側縁部がフラップ片２５やインナパック６等に引っ掛かりにくくなる。一方、上面壁部３３におけるヒンジ近位領域３３ｂのうち、ヒンジ側端部から離間するに従って奥行寸法を徐々に大きくすることで、ヒンジ４から遠位の領域における取り出し口２６の奥行開口幅を十分に確保することができるようになる。このため、内箱のフラップ片２５やインナパック６との干渉を回避できる範囲内で、取り出し口２６を通じたシガレット６１の取り出し容易性を好適に向上させることができるという利点がある。
【００６７】
また、本実施形態のパッケージ１によれば、上面壁部３３におけるヒンジ側端部３３ａの奥行寸法を実質的に零としたので、外蓋３が閉じられた際に上面壁部３３のヒンジ側端部３３ａによってフラップ片２５や内包材６２等が損傷を受けることをより確実に抑制することができる。
【００６８】
また、本実施形態におけるパッケージ１では、内箱２における前壁２２と側壁２３Ａとの境界をなす縁部に沿って形成したヒンジ４を介して、外蓋３を内箱２に接続するようにした。これによれば、外蓋３が閉じられた際に内箱２の前壁２２を覆う前面壁部３１の側方端を内箱２に対して直接ヒンジ連結することができる。よって、内箱２における後壁２１と側壁２３Ａとの境界をなす縁部に外蓋３をヒンジ接続する場合に比べて、外蓋３を閉じる際に、上面壁部３３のヒンジ近位領域３３ｂにおける自由端側縁部を、緩やかな角度で内箱２（フラップ片２５や内包材６２等）に接近させることができる。その結果、外蓋３を閉じる際に、上面壁部３３がフラップ片２５や内包材６２とより一層干渉し難くなり、上面壁部３３とフラップ片２５との間に内包材６２をより一層巻き込みにくくすることができる。また、前壁２２側にヒンジ４を形成することにより、上面壁部３３におけるヒンジ側端部３３ａの奥行寸法を実質的に零とした場合に、外蓋３（ひいてはパッケージ１）の剛性が低くなることを抑制できる。
【００６９】
以上のように、本実施形態に係るパッケージ１によれば、外蓋３を閉じる際に、外蓋３が被収容物やフラップ片等と干渉することを抑制し、以って被収容物やフラップ片の損傷を招いたり、外観が損なわれることを抑制することが可能となる。なお、本実施形態においては、内箱２におけるヒンジ４側の端部から内箱２における幅方向の途中位置までの区間を連接区間Ｚｃとしてフラップ片２５を前壁２２の上端と連接するようにしたが、連接区間Ｚｃの設定範囲は上記実施形態の例に限定されるものでない。フラップ片２５は、内箱２の幅方向における少なくとも一部の連接区間において前壁２２と連なるように接続されていればよい。このように、内箱２の幅方向における少なくとも一部の区間において、フラップ片２５を前壁２２と連接させることにより、外蓋３が閉じられる際に、外蓋３の上面壁部３３がフラップ片２５の下側（被収容物の収容空間側）に潜り込んだり、フラップ片２５と衝突することを抑制する効果が得られる。その結果、パッケージ１の被対象物やフラップ片２５の損傷を招いたり、パッケージ１の外観が損なわれることを抑制することが可能となる。
【００７０】
以上、本発明の好適な実施形態を説明したが、上記実施形態には本発明の趣旨を逸脱しない範囲において適宜の変更を加えることができる。また、上述した実施形態では、パッケージ１に収容する被収容物の好適な適用例として、フィルタシガレットや両切シガレット等のたばこ商品をパッケージに収容する場合を説明したが、これには限定されず、例えば菓子やガム等の物品をパッケージ１に収容してもよい。
【符号の説明】
【００７１】
１・・・パッケージ
２・・・内箱
３・・・外蓋
４・・・ヒンジ
６・・・インナパック
２５・・・フラップ片
２５ａ・・・第１フラップ片
２５ｂ・・・第２フラップ片
２６・・・取り出し口
２７・・・切り欠き凹所
３１・・・前面壁部
３２・・・側面壁部
３３・・・上面壁部
３３ａ・・・ヒンジ側端部
３３ｂ・・・ヒンジ近位領域
３３ｃ・・・ヒンジ遠位領域
６１・・・シガレット
６２・・・内包材
【図１】
0006013584.tif 000002
【図２】
0006013584.tif 000003
【図３】
0006013584.tif 000004
【図４】
0006013584.tif 000005
【図５】
0006013584.tif 000006
【図６】
0006013584.tif 000007
【図７】
0006013584.tif 000008
【図８】
0006013584.tif 000009